(57)【要約】【課題】スクランブルされている放送を判断し、そのチャンネルをチャンネルアップ／ダウンキーで選局しないようにすることで、チャンネル切り換え時の時間を短縮して快適な選局を実現するデジタル放送受信装置を提供することである。【解決手段】デジタル放送受信装置１０は、受信したＳＤＴ（Service Description Table）に含まれるスクランブルに関する情報に基づいて、所定のチャンネルの放送がスクランブルされているか否かを判別する判別部２４ａと、スクランブルされていないと判別した場合は、チャンネルマップの前記チャンネルに関する記載をチャンネルアップ／ダウンキー１１ａで選局する設定にし、スクランブルされていると判別した場合は、チャンネルマップの前記チャンネルに関する記載をチャンネルアップ／ダウンキー１１ａで選局しない設定にするように制御する設定制御部２４ｂとを備えた構成とする。【選択図】図１
2009049835.tif 000002
【特許請求の範囲】
【請求項１】
選局操作に用いられるチャンネルアップ／ダウンキーを有する操作部と、
前記チャンネルアップ／ダウンキーで選局するチャンネルか選局しないチャンネルかを記載したチャンネルマップを記憶する記憶部と、
前記記憶部を制御する制御部とを備えたデジタル放送受信装置において、
前記制御部は、
受信したＳＤＴ（Service Description Table）に含まれるスクランブルに関する情報に基づいて、所定のチャンネルの放送がスクランブルされているか否かを判別し、
スクランブルされていないと判別した場合は、前記チャンネルマップの前記チャンネルに関する記載をチャンネルアップ／ダウンキーで選局する設定にし、
スクランブルされていると判別した場合は、前記チャンネルマップの前記チャンネルに関する記載をチャンネルアップ／ダウンキーで選局しない設定にすることを特徴とするデジタル放送受信装置。
【請求項２】
前記制御部は、
受信した受信したＳＤＴに含まれるスクランブルに関する情報に基づいて、所定のチャンネルの放送がスクランブルされているか否かを判別する判別部と、
スクランブルされていないと判別した場合は、前記チャンネルマップの前記チャンネルに関する記載をチャンネルアップ／ダウンキーで選局する設定にし、スクランブルされていると判別した場合は、前記チャンネルマップの前記チャンネルに関する記載をチャンネルアップ／ダウンキーで選局しない設定にするように制御する設定制御部とを備えたことを特徴とする請求項１記載のデジタル放送受信装置。
【請求項３】
前記スクランブルに関する情報は、CA(Conditional Access) identifier descriptorの有無であり、CA identifier descriptorが存在しなければ前記制御部はスクランブルされていないと判別し、CA identifier descriptorが存在すれば前記制御部はスクランブルされていると判別することを特徴とする請求項１又は２記載のデジタル放送受信装置。
【請求項４】
前記スクランブルに関する情報は、free_CA_modeの１ビットの情報であり、０であれば前記制御部はスクランブルされていないと判別し、１であれば前記制御部はスクランブルされていると判別することを特徴とする請求項１又は２記載のデジタル放送受信装置。
【請求項５】
前記ＳＤＴは、受信可能な全物理チャンネルのスクランブルに関する情報を含んでいることを特徴とする請求項１〜４の何れかに記載のデジタル放送受信装置。
【請求項６】
前記ＳＤＴは、受信中の物理チャンネルのスクランブルに関する情報を含んでいることを特徴とする請求項１〜４の何れかに記載のデジタル放送受信装置。
【請求項７】
前記制御部はＭＰＵであり、前記記憶部はＥＥＰＲＯＭであり、受信した映像を出力する表示部と、受信した音声を出力するスピーカとを備えたことを特徴とする請求項１〜７の何れかに記載のデジタル放送受信装置。
【発明の詳細な説明】
【技術分野】
【０００１】
本発明は、液晶テレビなどのデジタル放送受信装置に関し、特にＤＶＢ（Digital Video Broadcasting）放送を受信するデジタル放送受信装置に有効に利用することができる。
【背景技術】
【０００２】
現在、世界的に地上波テレビ放送がアナログ放送からデジタル放送に移行する過渡期にあり、デジタル放送を受信できるデジタル放送受信装置が急速に普及している。デジタル放送受信装置としては、デジタルチューナ、デジタル放送受信対応テレビ、デジタル放送受信対応ハードディスクレコーダ等がある。
【０００３】
デジタルテレビ放送サービスにおいては、所定の対価を支払って正規の受信契約を結んだ視聴者のみが番組を正しく視聴することができるように、限定受信（ＣＡ：Conditional Access）システムが採用されている。
【０００４】
この限定受信システムでは、番組提供者側が、番組を構成する映像信号や音声信号にスクランブル処理を施して送信するとともに、正規の受信契約を交わした視聴者に対して、スクランブル解除用のカードを支給する。
【０００５】
そして、視聴者がデジタル放送受信装置にカードを装着することにより、受信した映像信号や音声信号に対してデスクランブル処理を施すことができ、番組を正しく視聴することが可能となる。
【０００６】
また、デジタル放送の方式は世界共通ではなく、各地域で異なった規格が採用されている。例えば、日本ではＩＳＤＢ（Integrated Services Digital Broadcasting）、欧州ではＤＶＢ、米国ではＡＴＳＣ（Advanced Television Systems Committee）が採用されている。したがって、限定受信システムに関する規格もそれぞれ異なっている。
【０００７】
また、デジタル放送では、放送局から、１つの周波数帯域において、複数の番組が配信される。これは、複数の番組の映像や音声をデジタル圧縮技術により圧縮符号化した後、時分割多重化し、その信号を所定周波数帯域の高周波電波に変調し、その信号を放送信号として配信することで行われる。その結果、多チャンネル化が進んでいる。
【０００８】
そして、ユーザが各チャンネルの番組の内容を認識する方法としては、新聞や雑誌等の印刷物によるテレビ番組表を利用する方法と、各チャンネルの番組を構成する映像と音声からなる番組テレビデータと共に伝送される番組情報データを用いて、各チャンネルの番組表を作成して表示される電子番組表を利用する方法とがある。ユーザは、印刷物によるテレビ番組表又は電子番組表から所望の番組を検索後、デジタル放送受信装置のリモコンを用いて選局操作する。
【０００９】
このとき、デジタル放送受信装置の動作や操作は、リモコンに設けられた電源キー、テンキー、チャンネルアップ／ダウンキー、モードキー等の各種入力キーを用いて操作制御している。リモコンによるチャンネル選局は、テンキーから所望のチャンネル番号を入力する選局方法と、チャンネルアップダウンキーを用いて、チャンネル番号の小さい値から大きい値に又は大きい値から小さい値に、順次アップ・ダウンさせながら選局する方法とがある。
【００１０】
上記テンキーによる選局は、事前に所望の番組が決まっておりチャンネルが特定されている場合には、所望の番組を直ぐに選局できる利点を有している。一方、上記チャンネルアップ／ダウンキーによる選局は、所望の番組が特定されていない場合に、チャンネルを順次切り替えて番組内容を確認しながら所望のチャンネルを決定できる利点を有している。
【００１１】
しかしながら、チャンネルアップ／ダウンキーによる選局において、選局対象となるチャンネルは、伝送されてくる全チャンネルであるが、この全チャンネルの中にはスクランブル処理が施されたチャンネルもあり、受信契約していないチャンネルも含まれている。受信契約していないチャンネルを選局した場合は、スクランブル処理が施されたまま画面に表示されたり、視聴不可能である旨のメッセージが表示されたりするため、非常に見苦しい画面となる。また、チャンネル切り換えにも余計な時間が掛かる。
【００１２】
そこで、受信契約していないチャンネルをチャンネルアップ／ダウンキーで選局しないようにする様々な手法が提案されている。
【００１３】
特許文献１には、テレビ受信機のチャンネル選局のアップ・ダウン選局時に、受信選局したチャンネル毎に視聴契約判定を行い、視聴契約が非契約であると判定されたチャンネルは、そのチャンネルで伝送される番組の番組情報データから有料識別、あるいは、料金データの有無を検出し、前記有料識別、あるいは、料金データが検出されないチャンネルは非契約ＰＰＣ（Pay Par Channel）チャンネルと判定し、前記アップ・ダウン選局時の選局対象チャンネルから除外することにより、非契約ＰＰＣチャンネルの受信再生が回避できると共に、アップ・ダウン選局時の不必要なチャンネル選局を削除可能とした多チャンネルテレビ受信機の選局装置が開示されている。
【００１４】
特許文献２の放送受信装置では、現在時刻が夜中を除く通常の放送時間帯内にあるとき、チャンネルのアップキー／ダウンキーを押下すると、チューナのチャンネル選択動作が開始され、チャンネルが選択される。選択された当該チャンネルの放送信号に音声信号がないと音声判定手段により判定され、当該チャンネルを以前にメモリに記憶しているとチャンネル判定手段により判定されたとき、有料放送チャンネル断定手段により当該チャンネルが未契約有料放送のチャンネルであると断定され、メモリに記憶される。次回からのチャンネルのアップ／ダウンによるチャンネル選択時には、スキップ手段により、メモリに記憶の未契約有料放送のチャンネルを飛ばしてチャンネル選択が行われる。
【００１５】
特許文献３には、選局チャンネルをスキップさせるためのチャンネルスキップキー、ならびにチャンネルスキップキーが操作されたときに、ＣＳ放送における無料チャンネルおよび契約済チャンネルからなる無料・契約チャンネル範囲内で、選局チャンネルをスキップさせる選局チャンネルスキップ手段を備えているテレビジョン受像機が開示されている。
【特許文献１】特開平１１−２５２４７２号公報
【特許文献２】特開２００５−２１７９５８号公報
【特許文献３】特開平１０−２７６３７３号公報
【発明の開示】
【発明が解決しようとする課題】
【００１６】
上記の特許文献１〜３の構成によれば、スクランブルされている放送をチャンネルアップ／ダウンキーで選局しないようになっている。しかしながら、上記の特許文献１〜３ではその構成が複雑であったり、使用できるチャンネル範囲が限られていたりする。
【００１７】
本発明は、デジタル放送で配信されている情報を利用して簡単にスクランブルされている放送を判断し、そのチャンネルをチャンネルアップ／ダウンキーで選局しないようにすることで、チャンネル切り換え時の時間を短縮して快適な選局を実現するデジタル放送受信装置を提供することを目的とする。
【課題を解決するための手段】
【００１８】
上記目的を達成するために本発明は、選局操作に用いられるチャンネルアップ／ダウンキーを有する操作部と、前記チャンネルアップ／ダウンキーで選局するチャンネルか選局しないチャンネルかを記載したチャンネルマップを記憶する記憶部と、前記記憶部を制御する制御部とを備えたデジタル放送受信装置において、前記制御部は、受信したＳＤＴ（Service Description Table）に含まれるスクランブルに関する情報に基づいて、所定のチャンネルの放送がスクランブルされているか否かを判別し、スクランブルされていないと判別した場合は、前記チャンネルマップの前記チャンネルに関する記載をチャンネルアップ／ダウンキーで選局する設定にし、スクランブルされていると判別した場合は、前記チャンネルマップの前記チャンネルに関する記載をチャンネルアップ／ダウンキーで選局しない設定にすることを特徴とする。
【００１９】
この構成によれば、ＳＤＴに含まれるスクランブルに関する情報を参照し、スクランブルされているか否かを判別し、スクランブルされていない場合はチャンネルアップ／ダウンキーで選局する設定にし、スクランブルされている場合はチャンネルアップ／ダウンキーで選局しない設定にすることにより、チャンネルアップ／ダウンキーで選局する際にスクランブルされているチャンネルをスキップすることができる。
【００２０】
上記のデジタル放送受信装置において、具体的に前記制御部は、受信した受信したＳＤＴに含まれるスクランブルに関する情報に基づいて、所定のチャンネルの放送がスクランブルされているか否かを判別する判別部と、スクランブルされていないと判別した場合は、前記チャンネルマップの前記チャンネルに関する記載をチャンネルアップ／ダウンキーで選局する設定にし、スクランブルされていると判別した場合は、前記チャンネルマップの前記チャンネルに関する記載をチャンネルアップ／ダウンキーで選局しない設定にするように制御する設定制御部とを備えている。
【００２１】
また上記のデジタル放送受信装置において、前記スクランブルに関する情報として、CA(Conditional Access) identifier descriptorの有無を利用する場合は、CA identifier descriptorが存在しなければ前記制御部はスクランブルされていないと判別し、CA identifier descriptorが存在すれば前記制御部はスクランブルされていると判別すればよい。
【００２２】
また上記のデジタル放送受信装置において、前記スクランブルに関する情報として、free_CA_modeの１ビットの情報を利用する場合は、０であれば前記制御部はスクランブルされていないと判別し、１であれば前記制御部はスクランブルされていると判別すればよい。
【００２３】
また、ＳＤＴには２種類あり、受信可能な全物理チャンネルのスクランブルに関する情報を含んでいるＳＤＴと、受信中の物理チャンネルのスクランブルに関する情報を含んでいるＳＤＴとがある。上記のデジタル放送受信装置では、どちらのＳＤＴであっても利用することができる。
【００２４】
また上記のデジタル放送受信装置において、具体的には前記制御部はＭＰＵであり、前記記憶部はＥＥＰＲＯＭであり、受信した映像を出力する表示部と、受信した音声を出力するスピーカとを備えていれば、テレビ受像機となる。
【発明の効果】
【００２５】
本発明によると、ＳＤＴ含まれるスクランブルに関する情報を利用して簡単にスクランブルされている放送を判断し、そのチャンネルをチャンネルアップ／ダウンキーで選局しないようにすることで、チャンネル切り換え時の時間を短縮して快適な選局を実現することができる。
【発明を実施するための最良の形態】
【００２６】
以下では、ＤＶＢ規格のデジタル放送受信装置を例に説明する。図１は、デジタル放送受信装置１０の構成を示すブロック図である。デジタル放送受信装置１０は、操作部１１と、チューナ部１２と、復調＆ＦＥＣ部１３と、データ分離部１４と、映像・音声デコード部１５と、映像合成部１６と、音声Ｄ／Ａコンバータ１７と、表示部１８と、スピーカ１９と、スロット２０と、ＲＡＭ２１と、ＲＯＭ２２と、ＥＥＰＲＯＭ２３と、ＭＰＵ２４とを備えている。
【００２７】
操作部１１は、ユーザが選局操作等の各種操作を行うための複数のキーから構成されている。そのキーの１つにチャンネルアップ／ダウンキー１１ａがあり、チャンネルアップキーは１チャンネル毎に番号の昇順に選局するキーであり、チャンネルダウンキーは１チャンネル毎に番号の降順に選局するキーである。チャンネルアップ／ダウンキー１１ａの選局指示は後述するチャンネルマップ内のチャンネルアップ／ダウンキー１１ａで選局するかしないかの項目（Add/Del項目）内容に基づいている。なお、操作部１１は赤外線などで遠隔操作可能なリモコンとしてもよい。
【００２８】
また、操作部１１のキーの１つにカーソルキー１１ｂがあり、これはメニュー画面などで各項目を選択するためのカーソルを移動させるキーである。カーソルキー１１ｂは、例えば、後述するチャンネルリスト上で所望のチャンネルを選択するカーソルを移動させるのに用いられる。
【００２９】
また、操作部１１のキーの１つにエンターキー１１ｃがあり、これはカーソルキー１１ｂで選択した項目を決定するキーである。エンターキー１１ｃは、例えば、チャンネルリスト上で所望のチャンネルがカーソルで選択された状態においてチャンネルアップ／ダウンキー１１ａで選局するチャンネルか選局しないチャンネルかを切り換えるのに用いられる。
【００３０】
チューナ部１２は、デジタル放送波を受信するアンテナ３０に接続されており、アンテナ３０で受信したデジタル放送波からＭＰＵ２４が指示する周波数の放送信号を抽出し、該抽出した放送信号に対して周波数変換を行って中間周波数信号を生成し、復調＆ＦＥＣ部４２へ出力するものである。
【００３１】
復調＆ＦＥＣ部１３は、中間周波数信号に対して復調及びエラー訂正（ＦＥＣ）等を行ってＴＳ（トランスポートストリーム）を生成し、スクランブルの掛かっていないＴＳの場合はデータ分離部１４へ出力し、スクランブルの掛かっているＴＳの場合はスロット２０に装着されているスクランブル解除用カード（不図示）へ出力するものである。そして、カード内でＴＳがデスクランブル処理されデータ分離部１４へ出力される。
【００３２】
データ分離部１４は、入力されたＴＳから映像データ及び音声データを分離し、映像データ及び音声データは映像・音声デコード部１５へ出力するものである。映像・音声デコード部１５は、入力された映像データ及び音声データをデコードし、デコードした映像データを映像合成部１６へ出力し、デコードした音声データを音声Ｄ／Ａコンバータ１７へ出力する。
【００３３】
映像合成部１６は、入力された映像データと、自ら生成した映像データとを合成し、合成データに基づく表示用信号を表示部１８へ出力するものである。また、映像合成部１６は、上記合成を行わず、自ら生成した映像データに基づく表示用信号を出力することも行う。音声Ｄ／Ａコンバータ１７は、入力された音声データをデジタルからアナログに変換し、スピーカ１９へ出力する。
【００３４】
表示部１８は、映像合成部１６からの映像を表示するものであり、液晶パネルなどからなる。スピーカ１９は音声Ｄ／Ａコンバータ１７からの音声を放音するものである。なお、表示部１８及びスピーカ１９は、デジタル放送受信装置１０の外部装置として接続するものであってもよい。
【００３５】
スロット２０は、スクランブル解除用カードを装着するためのものである。ＲＡＭ２１は、デジタル放送受信装置１０内で使用するデータを一時的に記憶しておくものである。ＲＯＭ２２は、デジタル放送受信装置１０の動作に必要な情報を記憶しているものである。ＥＥＰＲＯＭ１８は、記憶部の１つであり、チャンネルマップやチャンネルリストを記憶しておくものである。
【００３６】
チャンネルマップは、選局可能なチャンネルの一覧であり、少なくとも物理チャンネルと仮想チャンネルとチャンネルアップ／ダウンキー１１ａで選局するかしないかの項目とを対応させたものであり、ＳＤＴの受信によって適時更新される。一方、チャンネルリストは、チャンネルアップ／ダウンキー１１ａで選局するかしないかの項目を設定可能に表示するフレームであり、チャンネルマップに基づいて作成される。チャンネルリストはメニュー画面から表示させることができ、ユーザはチャンネルリスト上で、各チャンネルについてチャンネルアップ／ダウンキー１１ａで選局するか否かの設定を変更できる。チャンネルリスト上で設定変更された内容はチャンネルマップに反映される。
【００３７】
ＭＰＵ２４は、デジタル放送受信装置１０全体を制御するものであり、チューナ部１２に抽出する放送信号の周波数を指示したり、文字や図形等の画像データを生成して映像合成部１６へ出力したりする。またＭＰＵ２４は、判別部２４ａと設定制御部２４ｂとを備えている。
【００３８】
判別部２４ａは、受信した受信したＳＤＴに含まれるスクランブルに関する情報（ここではＤＶＢ  ＳＩ規格（ＥＮ３００  ４６８）に規定されたＳＤＴ（Service Description Table）に含まれるCA(Conditional Access) identifier descriptorやfree_CA_mode）に基づいて、所定のチャンネルの放送がスクランブルされているか否かを判別するものである。
【００３９】
設定制御部２４ｂは、チャンネルマップのチャンネルアップ／ダウンキー１１ａで選局するかしないかの項目（Add/Del項目）内容の書き換えを判別部２４ａの判別結果に基づいて設定するものである。以下、チャンネルアップ／ダウンキー１１ａで選局しない（スキップする）設定をDel設定と呼び、チャンネルアップ／ダウンキー１１ａで選局する設定をAdd設定と呼ぶ。
【００４０】
なお、チャンネルマップの登録内容が書き換えられた場合、その内容はチャンネルリストにも反映される。
【００４１】
次に、デジタル放送受信装置１０がデジタル放送を受信するときの動作について説明する。まず、アンテナ３０でデジタル放送波を受信する。操作部１１が選局操作されると、チューナ部１２は受信するトランスポンダの切り換えを行い、ＭＰＵ２４が指示する周波数の放送信号を抽出し、該抽出した放送信号に対して周波数変換を行って中間周波数信号を生成する。そして、復調＆ＦＥＣ部１３で中間周波数信号の復調及びエラー訂正等を行ってＴＳを生成し、スクランブルの掛かっていないＴＳの場合はデータ分離部１４へ出力し、スクランブルの掛かっているＴＳの場合はスロット２０に装着されているスクランブル解除用カードへ出力する。スクランブル解除用カードへ入力されたＴＳは、カード内でデスクランブル処理されデータ分離部１４へ出力される。もし、スロット２０にスクランブル解除用カードが装着されていない場合は、スクランブルは解除されない。
【００４２】
このように、もともとデジタル放送波は送信側からＴＳパケットの形で伝送されてくる。ＴＳパケットは映像データ、音声データ、ＳＤＴ等を含む制御データからなり、この制御データをデータ分離部１４により分離してＲＡＭ２１に記憶する。そして、ＲＡＭ２１から読み出したデータを映像・音声デコード部１５により圧縮前のデータに復号化する。次に、音声データを音声Ｄ／Ａコンバータ１７によりアナログ化し、スピーカ１９から音声を放音する。また映像データを映像合成部１６で生成した映像データと合成して表示部２４に映像を表示する。
【００４３】
次に、ユーザによる選局操作は、操作部１１のテンキー（不図示）で直接仮想チャンネルを入力することにより行われたり、チャンネルアップ／ダウンキー１１ａを操作することにより行われる。ここで、仮想チャンネルはメインチャンネルとサブチャンネルとからなる。以下、メインチャンネルとサブチャンネルとの番号間は「−」で区切るものとし、例えばメインチャンネルが１２でサブチャンネルが３４の場合は、「１２−３４」と記すものとする。
【００４４】
次に、チャンネルマップ更新処理を行い、チャンネルアップ／ダウンキー１１ａの操作においてスクランブルされている放送をスキップさせるようにする動作について説明する。図２は、チャンネルマップ更新処理に関するデジタル放送受信装置１０の動作を示すフローチャートである。
【００４５】
チャンネルマップ更新処理は適時行うことが可能であり、例えば、デジタル放送受信装置１０の起動時や選局動作時や所定時間毎（例えば３０分や１時間毎）に行うことができる。チャンネルマップ更新処理が実行されると、まずステップＳ１０においてＭＰＵ２４はＳＤＴを受信したか否かを判別する。ＳＤＴは各物理チャンネルのＴＳに含まれて適時配信されているので、通常は何れかの物理チャンネルを選局すれば受信することができる。
【００４６】
ステップＳ１０においてＳＤＴを受信すれば、ステップＳ１１へ進んで判別部２４ａは、受信したＳＤＴに含まれるスクランブルに関する情報に基づいて、所定のチャンネル（ＳＤＴに含まれる仮想チャンネルの何れか１つ）の放送がスクランブルされているか否かを判別する。
【００４７】
規格上、ＳＤＴは２種類あり、受信可能な全物理チャンネルのスクランブルに関する情報を含んでいるＳＤＴと、受信中の物理チャンネルのみのスクランブルに関する情報を含んでいるＳＤＴとがある。現状では、両方のＳＤＴを配信している地域もあれば、受信中の物理チャンネルのみのスクランブルに関する情報を含んでいるＳＤＴだけを配信している地域もある。
【００４８】
ここで、スクランブルに関する情報とは、ＤＶＢ  ＳＩ規格（ＥＮ３００  ４６８）に規定されたＳＤＴに含まれるCA identifier descriptor又はfree_CA_modeである。CA identifier descriptorの有無がスクランブルの有無に対応している。また、free_CA_modeの１ビットの情報が、０であればスクランブルされていないことを示し、１であればスクランブルされていることを示す。
【００４９】
したがって、ステップＳ１１におけるスクランブルの有無の判別は、CA identifier descriptor又はfree_CA_modeのどちらか一方のみを参照して判別すればよい。CA identifier descriptorを参照する場合は、CA identifier descriptorが存在しなければ判別部２４ａはスクランブルされていないと判別し、CA identifier descriptorが存在すれば判別部２４はスクランブルされていると判別すればよい。一方、free_CA_modeを参照する場合は、その１ビットの値が、０であれば判別部２４はスクランブルされていないと判別し、１であれば判別部２４はスクランブルされていると判別すればよい。
【００５０】
また、ステップＳ１１におけるスクランブルの有無の判別は、CA identifier descriptor及びfree_CA_modeの両方を参照するようにしてもよい。規格ではCA identifier descriptor及びfree_CA_modeが規定されているが、現実の放送ではどちらか一方しかない可能性もあるので、CA identifier descriptor及びfree_CA_modeの両方を参照する方が確実である。
【００５１】
このようにしてステップＳ１１において所定のチャンネルの放送がスクランブルされているか否かを判別し、スクランブルされていないと判別した場合は、ステップＳ１２へ進んで設定制御部２４ｂは、チャンネルマップのそのチャンネルのAdd/Del項目をAdd設定に更新する。
【００５２】
一方、ステップＳ１１において所定のチャンネルの放送がスクランブルされていると判別した場合は、ステップＳ１３へ進んで設定制御部２４ｂは、チャンネルマップのそのチャンネルのAdd/Del項目をDel設定に更新する。
【００５３】
なお、ステップＳ１１及びステップＳ１２において、チャンネルマップにそのチャンネルが登録されていない場合はこのとき登録も一緒に行う。
【００５４】
そしてステップＳ１２、Ｓ１３からはステップＳ１４へ進んで次のスクランブルに関する情報があるか否かを判別する。通常、１つの物理チャンネルには複数の仮想チャンネルが含まれているので、上述した２種類のＳＤＴのうち、受信中の物理チャンネルのみのスクランブルに関する情報を含んでいるＳＤＴを利用する場合であっても、個々の仮想チャンネルに対応してそれぞれスクランブルに関する情報も存在する。また、上述した２種類のＳＤＴのうち、受信可能な全物理チャンネルのスクランブルに関する情報を含んでいるＳＤＴを利用する場合は、それぞれの物理チャンネルに含まれる個々の仮想チャンネルに対応した数だけスクランブルに関する情報も存在する。
【００５５】
ステップＳ１４において次のスクランブルに関する情報があれば、ステップＳ１１に戻り、チャンネルマップの更新を続ける。一方、ステップＳ１４において次のスクランブルに関する情報がない場合、つまり受信した全てのスクランブルに関する情報を利用してAdd/Del項目を終えた場合は、ステップＳ１５へ進んでチャンネルマップ更新処理を終了する。
【００５６】
このような処理により、Add設定されたチャンネルはチャンネルアップ／ダウンキー１１ａで選局され、Del設定されたチャンネルはチャンネルアップ／ダウンキー１１ａで選局されない。
【００５７】
例えば、物理チャンネル「１」のみのＳＤＴを受信した場合であって、ＳＤＴに仮想チャンネルとして「１−１」、「１−２」、「１−３」が含まれていたとする。この場合、それぞれの仮想チャンネルについてCA identifier descriptor及びfree_CA_modeの両方を参照してチャンネルマップのAdd/Del項目を更新する。
【００５８】
その結果、例えば、チャンネル「１−１」についてCA identifier descriptorが存在せず、free_CA_modeの値が０であり、チャンネル「１−２」についてCA identifier descriptorが存在せず、free_CA_modeの値が０であり、チャンネル「１−３」についてCA identifier descriptorが存在し、free_CA_modeの値が１であった場合は、図３に示すように、チャンネルマップ４０に物理チャンネル「１」に対応した仮想チャンネル「１−１」のAdd/Del項目をAdd設定にし、続けて、物理チャンネル「１」に対応した仮想チャンネル「１−２」のAdd/Del項目をAdd設定にし、続けて、物理チャンネル「１」に対応した仮想チャンネル「１−３」のAdd/Del項目をDel設定にする。もし、チャンネルマップにその物理チャンネルや何れかの仮想チャンネルが登録されていなかった場合はこのときチャンネル登録も一緒に行う。
【００５９】
これにより、物理チャンネル「１」において、Add設定された仮想チャンネル「１−１」及び「１−２」はチャンネルアップ／ダウンキー１１ａで選局され、Del設定された仮想チャンネル「１−３」はチャンネルアップ／ダウンキー１１ａで選局されない。
【００６０】
このように、ＳＤＴに含まれるスクランブルに関する情報を参照し、スクランブルされているか否かを判別し、スクランブルされていない場合はチャンネルマップのAdd/Del項目をAdd設定にし、スクランブルされている場合はチャンネルマップのAdd/Del項目をDel設定にすることにより、チャンネルアップ／ダウンキー１１ａで選局する際にスクランブルされているチャンネルをスキップすることができる。したがって、チャンネル切り換え時の時間を短縮して快適な選局を実現することができる。
【００６１】
次に、チャンネルリストについて詳しく説明する。図４は、チャンネルリストの設定に関するデジタル放送受信装置１０の動作を示すフローチャートである。
【００６２】
まず、ユーザにより操作部１１が操作されてメニュー画面の中からチャンネルリストを表示させる項目「チャンネル」が選択決定されると、ステップＳ２０においてＭＰＵ２４はＥＥＰＲＯＭ２３からチャンネルリストを読み出して表示部１８に表示させる。図５にチャンネルリストフレーム５０の一例を示す。チャンネルリストフレーム５０の左端にはメニュー５１が表示され、メニューの１項目としてチャンネル５１aがある。図５ではチャンネル５１aはハイライト表示されており、それが選択決定されたことを示している。
【００６３】
また、チャンネルリストフレーム５０の右端にはチャンネルマップに登録されている仮想チャンネルが表示されており、チャンネル「１−１」、「１−２」、「３−１」、「５５−１」、「５５−２」、「５５−３」がハイライト表示されている。このハイライト表示はAdd設定の状態であることを示している。一方、チャンネル「１−３」は通常表示されており、これはDel設定の状態であることを示している。
【００６４】
また、チャンネル「１−１」を囲んでいる太枠がカーソル５２を示している。チャンネル「１−１」の上及びチャンネル「５５−３」の下にある三角印はそれぞれの方向にカーソル５２を移動させれば更なるチャンネルがスクロール表示されることを示している。
【００６５】
図４の説明に戻り、ステップＳ２０でチャンネルリストが表示されると、ステップＳ２１へ進んでチャンネルリスト内の何れかのチャンネルが選択されたか否かを判別する。チャンネルの選択は、カーソルキー１１ｂが操作されて所望のチャンネルにカーソル５２を移動させることで行われる。
【００６６】
ステップＳ２１においてチャンネルリスト内の何れかのチャンネルが選択されれば、ステップＳ２２へ進んで選択されたチャンネルを選局し表示する。表示は画面中央の空きスペースに収まる大きさで表示させればよい。なお、チャンネルリストフレーム５０を表示させた最初の時点ではデフォルトのチャンネル（例えばチャンネル「１−１」）上にカーソル５２を位置させ、そのチャンネルを選局して表示させればよい。
【００６７】
続いてステップＳ２３へ進んでエンターキー１１ｃが押下されたか否かを判別する。エンターキー１１ｃの操作によりAdd設定とDel設定とを切り換えるためである。ステップＳ２３においてエンターキー１１ｃが押下されれば、ステップＳ２４へ進んで現在選択されているチャンネルがAdd設定であるか否かを判別する。一方、ステップＳ２３においてエンターキー１１ｃが押下されなければ、ステップＳ２１に戻る。
【００６８】
ステップＳ２４においてAdd設定であった場合は、ステップＳ２５へ進んでDel設定に切り換え、そのチャンネルのハイライト表示を通常の表示に戻す。一方、ステップＳ２４においてAdd設定でなかった場合、つまりDel設定であった場合は、ステップＳ２６へ進んでAdd設定に切り換え、そのチャンネル表示をハイライト表示にする。例えば、スクランブルされていると判断されてDel設定になっているチャンネルをAdd設定に切り換えることができる。ステップＳ２５又はステップＳ２６により所望のチャンネルのAdd設定とDel設定との切り換えが完了する。
【００６９】
そして、ステップＳ２５又はステップＳ２６からはステップＳ２１に戻る。なお、上記の処理中、操作部１１のバックキー（不図示）を押せば１つ前の画面に戻ることができ、キャンセルキー（不図示）を押せばチャンネルリストの表示を終了し、メニュー画面に戻る。そして、チャンネルリスト上で変更された内容はチャンネルマップへ反映される。また、チャンネルリスト上で変更されたAdd/Del項目の設定内容は自動では変更されないようにロックされるものとする。したがって、次回チャンネルマップ更新処理が行われてもそのチャンネルのAdd/Del項目の設定内容は更新されない。
【００７０】
このように、チャンネルリストを利用して手動で所望のチャンネルのAdd設定とDel設定とを切り換えることもできる。これにより、有料放送のうち受信契約しているチャンネルについては手動でAdd設定にしておけば、いつでもチャンネルアップ／ダウンキー１１ａで選局される。またスクランブルされていない無料放送でもユーザの好みによりDel設定にしてチャンネルアップ／ダウンキー１１ａで選局しないようにすることもできる。
【００７１】
なお、有料放送を受信契約している場合に適切に対応する他の手段として、チャンネルアップ／ダウンキー１１ａでスクランブルされている放送をスキップするという上述の機能を使用するか否か（ＯＮ／ＯＦＦ）を切り換えできるようにしてもよい。このＯＮ／ＯＦＦの切り換えはメニュー画面から選択できるようにすればよい。そして、ＯＦＦが選択された場合には、例えば、チャンネルマップの全てのチャンネルのAdd/Del項目の内容をAdd設定であるとみなすようにすることで対応できる。
【００７２】
なお、上記の実施形態においては、デジタル放送受信装置１０にスピーカ２１及び表示部２４を内蔵するデジタルテレビについて説明したが、本発明は、スピーカ２１及び表示部２４を有さないチューナ装置であるセットトップボックス（ＳＴＢ）やビデオ装置にも適用できる。
【産業上の利用可能性】
【００７３】
本発明のデジタル放送受信装置は、液晶テレビなどのテレビ受像機をはじめ、チューナ装置であるＳＴＢ、ビデオ装置であるビデオカセットレコーダやＤＶＤレコーダやハードディスクレコーダ、それらの複合機、デジタル放送受信機能付き携帯電話機などに利用することができる。
【図面の簡単な説明】
【００７４】
【図１】本発明のデジタル放送受信装置の構成を示すブロック図である。
【図２】本発明のチャンネルマップ更新処理に関するデジタル放送受信装置の動作を示すフローチャートである。
【図３】本発明のチャンネルマップの一例を示す図である。
【図４】本発明のチャンネルリストの設定に関するデジタル放送受信装置の動作を示すフローチャートである。
【図５】本発明のチャンネルリストフレームの一例を示す図である。
【符号の説明】
【００７５】
１０    デジタル放送受信装置
１１    操作部
１１ａ    チャンネルアップ／ダウンキー
２３    ＥＥＰＲＯＭ（記憶部）
１９    スピーカ
１８    表示部
２４    ＭＰＵ（制御部）
２４ａ    判別部
２４ｂ    設定制御部
４０    チャンネルマップ
【図１】
2009049835.tif 000003
【図２】
2009049835.tif 000004
【図３】
2009049835.tif 000005
【図４】
2009049835.tif 000006
【図５】
2009049835.tif 000007